【手続補正書】
【提出日】平成17年5月9日(2005.5.9)
【手続補正１】
【補正対象書類名】明細書
【補正対象項目名】特許請求の範囲
【補正方法】変更
【補正の内容】
【特許請求の範囲】
【請求項１】
吸着側で室内空気中の湿気を吸着するとともに再生側では加熱され脱湿再生する吸着剤と、前記吸着剤の再生側で高温高湿となった循環空気と室内空気とを熱交換する熱交換器と、前記吸着剤の再生側を加熱する加熱手段と、室内空気を前記吸着剤の吸着側に供給するための第１の送風ファンと、循環空気を循環させるための第２の送風ファンとを備え、第１の送風ファンにより供給された室内空気を前記吸着剤の吸着側に通過させ乾燥空気とする経路と、第２の送風ファンによる循環空気を前記加熱手段および前記吸着剤の再生側を通過させ、高温高湿となった空気を前記熱交換器を通して循環させ室内空気と熱交換させる循環経路とを有し、前記吸着剤はその吸着側と再生側とを入れ替え、再生時に発生する水分を前記熱交換器によって室内空気により冷却して結露水として回収する除湿装置であって、前記熱交換器を通過した後の循環空気を前記吸着剤の吸着側の少なくとも一部分を通過させ前記吸着剤が保有する熱を奪った後に前記加熱手段を通過するように前記循環経路を配したことを特徴とする除湿装置。
【請求項２】
循環経路において、加熱手段から吸着剤の再生側を通り熱交換器に流入する循環空気と前記熱交換器から前記吸着剤の吸着側の一部を通り前記加熱手段へと還流する循環空気が互いに混ざり合うのを制限したことを特徴とする請求項１記載の除湿装置。
【請求項３】
循環空気を加熱手段から吸着剤の再生側に導くための導入部と吸着剤の吸着側の一部より循環空気を還流させるための還流部を一体にて形成し、前記導入部および前記還流部と前記吸着剤との間隙を詰めることによって、前記加熱手段から前記吸着剤の再生側へ流入する循環空気と前記吸着剤の吸着側の一部を通り前記加熱手段へと還流する循環空気が互いに混ざり合うのを制限したことを特徴とする請求項１または２記載の除湿装置。
【請求項４】
熱交換器において循環空気の進行方向を室内空気との熱交換途上で反転させ、循環空気の前記熱交換器への流入口と前記熱交換器からの流出口を略上下方向において接近させるように循環経路を配したことを特徴とする請求項１または２記載の除湿装置。
【請求項５】
熱交換器を熱伝達促進物質を含有させた樹脂にて成形することを特徴とする請求項１、２、３または４記載の除湿装置。
【請求項６】
吸着側で室内空気中の湿気を吸着するとともに再生側では加熱され脱湿再生する吸着剤と、前記吸着剤の再生側で高温高湿となった循環空気と室内空気とを熱交
換する熱交換器と、前記吸着剤の再生側を加熱する加熱手段と、室内空気を前記吸着剤の吸着側に供給するための第１の送風ファンと、循環空気を循環させるための第２の送風ファンとを備え、第１の送風ファンにより供給された室内空気を前記吸着剤の吸着側に通過させ乾燥空気とする経路と、第２の送風ファンによる循環空気を前記加熱手段および前記吸着剤の再生側を通過させ、高温高湿となった空気を前記熱交換器を通して循環させ室内空気と熱交換させる循環経路とを有し、前記吸着剤はその吸着側と再生側とを入れ替え、再生時に発生する水分を前記熱交換器によって室内空気により冷却して結露水として回収する除湿装置において、前記加熱手段を前記吸着剤を加熱する吸着剤加熱領域と前記吸着剤から脱着した湿気を搬送する湿気搬送領域に分割し前記吸着剤の再生効率を高めたことを特徴とする除湿装置。
【請求項７】
熱交換器の循環空気の流入口を吸着剤を介して加熱手段の湿気搬送領域内に対向させ配したことを特徴とする請求項６記載の除湿装置。
【請求項８】
加熱手段の湿気搬送領域と吸着材加熱領域とを分割する分割板に、前記加熱手段保護のための空気流通口を設けたことを特徴とする請求項６または７記載の除湿装置。
【請求項９】
加熱手段に輻射熱利用ヒータを用いたことを特徴とする請求項１、２、３、４、５、６、７または８記載の除湿装置。
【請求項１０】
吸着側で室内空気中の湿気を吸着するとともに再生側では加熱され脱湿再生する吸着剤と、前記吸着剤の再生側で高温高湿となった循環空気と室内空気とを熱交換する熱交換器と、前記吸着剤の再生側を加熱する加熱手段と、室内空気を前記吸着剤の吸着側に供給するための第１の送風ファンと、循環空気を循環させるための第２の送風ファンとを備え、第１の送風ファンにより供給された室内空気を前記吸着剤の吸着側に通過させ乾燥空気とする経路と、第２の送風ファンによる循環空気を前記加熱手段および前記吸着剤の再生側を通過させ、高温高湿となった空気を前記熱交換器を通して循環させ室内空気と熱交換させる循環経路とを有し、前記吸着剤はその吸着側と再生側とを入れ替え、再生時に発生する水分を前記熱交換器によって室内空気により冷却して結露水として回収する除湿装置であって、前記加熱手段から放射された輻射熱を前記吸着剤の再生側に反射する反射板を備えたことを特徴とする除湿装置。
【請求項１１】
吸着側で室内空気中の湿気を吸着するとともに再生側では加熱され脱湿再生する吸着剤と、前記吸着剤の再生側で高温高湿となった循環空気と室内空気とを熱交換する熱交換器と、前記吸着剤の再生側を加熱する加熱手段と、室内空気を前記吸着剤の吸着側に供給するための第１の送風ファンと、循環空気を循環させるための第２の送風ファンとを備え、第１の送風ファンにより供給された室内空気を前記吸着剤の吸着側に通過させ乾燥空気とする経路と、第２の送風ファンによる循環空気を前記加熱手段および前記吸着剤の再生側を通過させ、高温高湿となった空気を前記熱交換器を通して循環させ室内空気と熱交換させる循環経路とを有し、前記吸着剤はその吸着側と再生側とを入れ替え、再生時に発生する水分を前記熱交換器によって室内空気により冷却して結露水として回収する除湿装置であって、前記吸着剤を収める円筒状のケースを備え、前記ケースと前記ケースに設けられたフレームと前記フレームに設けられたリブにより、前記吸着剤を保護、保持し、前記フレームを錆びの発生が無い鋼板としたことを特徴とする除湿装置。
【請求項１２】
フレームを、板厚０．４〜１．０ｍｍの鋼板としたことを特徴とする請求項１１記載の除湿装置。
【請求項１３】
前記フレームを、ステンレス鋼板としたことを特徴とする請求項１１または１２記載の除湿装置。
【手続補正２】
【補正対象書類名】明細書
【補正対象項目名】００３２
【補正方法】変更
【補正の内容】
【００３２】
そして本発明によれば、加熱手段が除湿剤を効率良く再生し除湿効率を高めることができる除湿装置が得られる。
また、他の手段は、加熱手段から放射された輻射熱を吸着剤の再生側に反射する反射板を備えた構成としたものである。
そして、本発明によれば、加熱手段から放射された輻射熱を再生側に反射することにより、熱の有効利用が図れる除湿装置が得られる。
また、他の手段は、吸着剤を収める円筒状のケースを備え、前記ケースと前記ケースに設けられたフレームと前記フレームに設けられたリブにより、前記吸着剤を保護、保持し、前記フレームを錆びの発生が無い鋼板としたものである。
そして、本発明によれば、フレームに錆びの発生が無い除湿装置が得られる。
また、他の手段は、フレームを、板厚０．４〜１．０ｍｍの鋼板としたものである。
そして、本発明によれば、フレームが薄い板厚で高い強度の、除湿装置が得られる。
また、他の手段は、フレームを、ステンレス鋼板としたものである。
そして、本発明によれば、フレームに錆びの発生が無い除湿装置が得られる。
【手続補正３】
【補正対象書類名】明細書
【補正対象項目名】００３５
【補正方法】変更
【補正の内容】
【００３５】
また、循環空気を加熱手段から吸着剤の再生側に導くための導入部と吸着剤の吸着側の一部より循環空気を還流させるための還流部を一体にて形成し、前記導入部および前記還流部と前記吸着剤との間隙を詰めることによって、前記加熱手段から前記吸着剤の再生側へ流入する循環空気と前記吸着剤の吸着側の一部を通り前記加熱手段へと還流する循環空気が互いに混ざり合うのを制限した構成としたものであり、加熱手段を通過した循環空気は吸着剤の吸着側を還流してきた循環空気と混ざり合うことなく吸着剤の再生側を通過するので加熱手段への投入エネルギーが効率良く除湿剤の再生に使用されるとともに、吸着剤の再生側を通過した循環空気は熱交換器で冷却された後の循環空気と混ざり合うことなく高温高湿状態を維持して熱交換器に流入するので熱交換器での冷却効果が高まり効率良く結露水を回収するので除湿量の低下を抑制し除湿効率を高めるという作用を有し、また循環経路内の加熱手段から吸着剤への流入口と吸着剤から加熱手段への還流口を１つの部品として構成することができるので部品点数を少なくすることができるという作用を有する。また、熱交換器において循環空気の進行方向を室内空気との熱交換途上で反転させ、循環空気の前記熱交換器への流入口と前記熱交換器からの流出口を略上下方向において接近させるように循環経路を配した構成としたものであり、熱交換途上において循環空気の進行方向を反転させることで循環空気の熱交換器導入路および導出路が接近するため熱交換器と吸着剤とを接続する風洞を短い距離で且つ直線的に構成することができるとともに熱交換器における循環空気の通過距離を長くとることで熱交換効率を高め熱交換器の小型化が図れるので本体サイズを小型化できるという作用を有する。また、熱交換器を熱伝達促進物質を含有させた樹脂にて成形した構成としたものであり、熱伝達促進物質を含有させることにより熱交換器の熱交換能力が高まり、吸着剤の再生側を通過してきた高温高湿状態の循環空気を効率良く冷却でき、循環空気中の水分を効率良く結露させ結露水として回収できるので除湿効率を高めるという作用を有する。また、加熱手段を吸着剤を加熱する吸着剤加熱領域と吸着剤から脱着した湿気を搬送する湿気搬送領域に分割し吸着剤の再生効率を高めた構成としたものであり、吸着剤が吸着側にて水分を吸着した後、吸着側と再生側を入れ替え再生側風路となった時、まず吸着剤加熱領域にて加熱され十分に水分を吸着剤表面から放出し、次に水分は湿気搬送領域にて再生空気取り出し口に搬送されるので効率よく吸着剤を再生することができ除湿効率を高めるという作用を有する。また、熱
交換器の循環空気の流入口を吸着剤を介して加熱手段の湿気搬送領域内に対向させ配した構成としたものであり、湿気搬送領域と熱交換器の流入口を短い距離で且つ直線的に接続し、再生空気風路内の圧力損失を低下でき放出された水分を効率よく搬送することができるので、除湿剤を効率良く再生することができ、除湿効率を高めるという作用を有する。また、加熱手段の湿気搬送領域と吸着材加熱領域とを分割する分割板に、加熱手段保護のための空気流通口を設けた構成としたものであり、湿気搬送領域に流れる再生空気の一部を吸着剤加熱領域に流れるようにすることにより加熱手段が異常高温になり破損するのを防止でき、加熱手段を保護することができるという作用を有する。また、加熱手段に、輻射熱利用ヒータを用いた構成としたものであり、輻射熱を有効に利用することにより吸着剤を効率良く再生することができ、除湿効率を高めるという作用を有する。
また、加熱手段から放射された輻射熱を吸着剤の再生側に反射する反射板を備えた構成としたものであり、加熱手段から放射された輻射熱を再生側に反射することにより、熱の有効利用が図れる。
また、吸着剤を収める円筒状のケースを備え、前記ケースと前記ケースに設けられたフレームと前記フレームに設けられたリブにより、前記吸着剤を保護、保持し、前記フレームを錆びの発生が無い鋼板としたものであり、フレームを錆びの発生が無い鋼板とすることにより、フレームに錆びの発生が無い除湿装置が得られる。
また、他の手段は、フレームを、板厚０．４〜１．０ｍｍの鋼板としたものであり、フレームが薄い板厚で高い強度の、除湿装置が得られる。
また、他の手段は、フレームを、ステンレス鋼板としたものであり、フレームが高い強度でフレームに錆びの発生が無い除湿装置が得られる。
【手続補正４】
【補正対象書類名】明細書
【補正対象項目名】００７２
【補正方法】変更
【補正の内容】
【００７２】
また、加熱手段に、輻射熱利用ヒータを用いた構成としたものであるから輻射熱を有効に利用し吸着剤を効率良く再生して除湿効率を高める効果のある除湿装置を提供できる。
また、加熱手段から放射された輻射熱を吸着剤の再生側に反射する反射板を備えた構成としたものであるから、加熱手段から放射された輻射熱を再生側に反射することにより、熱の有効利用が図れる除湿装置を提供できる。
また、フレームを錆びの発生が無い鋼板とすることにより、フレームに錆びの発生が無い除湿装置を提供できる。
また、フレームを、板厚０．４〜１．０ｍｍの鋼板とすることにより、フレームが薄い板厚で高い強度の、除湿装置を提供できる。
また、フレームを、ステンレス鋼板とすることにより、フレームが高い強度でフレームに錆びの発生が無い除湿装置を提供できる。